(57)【要約】【課題】可燃性を有するＨＣ冷媒の冷却装置において、冷媒漏れに対するリスクを低減し安全性を高める。【解決手段】演算制御部７ａは、認識手段９において、圧縮機が通電しているという認識を得れば、圧力検知手段１０により、圧縮機の圧力を検知する。検知した圧力が予め圧力記憶手段１１に記憶させておいた、圧力以下であれば、冷媒の漏れがあったものと判断し、凝縮器ファン印加電圧増加手段８を動作させるようにしたので、凝縮器ファンの印加電圧を増加させることで、凝縮器ファンの風量が増加し、機械室における漏洩冷媒をすばやく拡散させることができる。【選択図】図１
2005099985.tif 000002
【特許請求の範囲】
【請求項１】
凝縮器ファンの風量を増加させる凝縮器ファン風量増加手段と、圧縮機の圧力を検知する圧力検知手段と、圧縮機の圧力を記憶する圧力記憶手段と、前記凝縮器ファン風量増加手段と、前記圧力検知手段と、前記圧力記憶手段とに接続された演算制御部とからなり、前記演算制御部は、圧縮機が動作している時に、前記圧力検知手段が圧縮機の圧力低下を検知し、前記圧力記憶手段に記憶された圧力以下であった場合に前記凝縮器ファン風量増加手段を動作させることを特徴とする自動販売機の制御装置。
【請求項２】
凝縮器ファンの風量を増加させる凝縮器ファン風量増加手段と、庫内温度を検知する温度検知手段と、庫内温度を記憶する温度記憶手段と、前記凝縮器ファン風量増加手段と、前記温度検知手段と、前記温度記憶手段とに接続された演算制御部とからなり前記演算制御部は圧縮機が動作している時に、前記温度検知手段が庫内温度を検知し前記温度記憶手段に記憶された温度以上であった場合に前記凝縮器ファン風量増加手段を動作させることを特徴とする自動販売機の制御装置。
【請求項３】
凝縮器ファンの風量を増加させる凝縮器ファン風量増加手段と、圧縮機の消費電力を検知する消費電力検知手段と、圧縮機の消費電力を記憶する消費電力記憶手段と、前記凝縮器ファン風量増加手段と、前記消費電力検知手段と、前記消費電力記憶手段とに接続された演算制御部とからなり、前記演算制御部は、圧縮機が動作している時に、前記圧縮機の消費電力検知手段が圧縮機の消費電力を検知し、前記消費電力記憶手段に記憶された消費電力以下であった場合に前記凝縮器ファン風量増加手段を動作させることを特徴とする自動販売機の制御装置。
【請求項４】
凝縮器ファンの風量を増加させる凝縮器ファン風量増加手段と、圧縮機の圧力を検知する圧力検知手段と、圧縮機の圧力を記憶する圧力記憶手段と、前記圧力検知手段が検知する圧力を任意に設定するための圧力設定手段と、前記凝縮器ファン風量増加手段と、前記圧力検知手段と、前記圧力記憶手段と、前記圧力設定手段とに接続された演算制御部とからなり、前記演算制御部は、圧縮機が動作している時に、前記圧力検知手段が圧力低下を検知し、前記圧力記憶手段に記憶された圧力以下であった場合に前記凝縮器ファン風量増加手段を動作させることを特徴とする自動販売機の制御装置。
【請求項５】
凝縮器ファンの風量を増加させる凝縮器ファン風量増加手段と、庫内温度を検知する温度検知手段と、庫内温度を記憶する温度記憶手段と、前記温度検知手段が検知する温度を任意に設定するための温度設定手段と、前記凝縮器ファン風量増加手段と、前記温度検知手段と、前記温度記憶手段と、前記温度設定手段とに接続された演算制御部とからなり、前記演算制御部は、圧縮機が動作している時に、前記温度検知手段が庫内温度を検知し、前記温度記憶手段に記憶された温度以下であった場合に前記凝縮器ファン風量増加手段を動作させることを特徴とする自動販売機の制御装置。
【請求項６】
凝縮器ファンの風量を増加させる凝縮器ファン風量増加手段と、圧縮機の消費電力を検知する消費電力検知手段と、圧縮機の消費電力を記憶する消費電力記憶手段と、前記消費電力検知手段が検知する消費電力を任意に設定するための前記消費電力設定手段と、前記凝縮器ファン風量増加手段と、前記消費電力検知手段と、前記消費電力記憶手段と、前記消費電力設定手段とに接続された演算制御部とからなり、前記演算制御部は、圧縮機が動作している時に、前記圧縮機の消費電力検知手段が圧縮機の消費電力を検知し、前記消費電力記憶手段に記憶された消費電力以下であった場合に前記凝縮器ファン風量増加手段を動作させることを特徴とする自動販売機の制御装置。
【請求項７】
前記凝縮器ファン風量増加手段は前記凝縮器ファンの印加電圧を高める装置、もしくは印加電圧の周波数を高める装置を設けたことを特徴とする請求項１から６のいずれか一項に記載の自動販売機の制御装置。
【発明の詳細な説明】
【技術分野】
【０００１】
本発明は、可燃性冷媒を使用した冷却装置に関するものである。
【背景技術】
【０００２】
近年、地球のオゾン層を保護する観点から、自動販売機に使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進められている。
【０００３】
また、従来、主にＨＦＣ−２２冷媒を用いていた冷却装置においては、その代替冷媒としてＨＦＣ冷媒の混合冷媒であるＲ４０７Ｃが採用され販売されている。
【０００４】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００５】
一方、ＨＣ系自然冷媒は可燃性を有しているため、冷却装置における自動販売機の冷媒として使用する場合には安全性確保が課題であり、冷媒漏れに対する配慮が必要である。
【０００６】
そこで、ＨＣ冷媒を使用した自動販売機の制御装置としては、ＨＣ冷媒
の漏洩を検知した場合、自動販売機内の機器への電力供給を停止し、冷媒の漏洩を抑えるとともに、電気系の発火源を止めることで、引火を防止させるもの（例えば、特許文献１参照）がある。
【０００７】
以下、図面を参照しながら上記従来の可燃性冷媒を用いた自動販売機の制御部を説明する。
【０００８】
図１３は従来の自動販売機の機能ブロック図である。図１３に示すように、従来の自動販売機の制御部１は、冷媒を圧縮する圧縮機２と商品を加温するための電熱ヒータ３と冷媒漏れを検知する冷媒漏洩装置４と冷媒漏れを周囲の人にブザーまたは警告灯にて知らせる警報装置５とその他の機器である各種機器６とから構成されている。
【０００９】
以上のように構成された自動販売機の制御について、以下その動作を説明する。冷媒漏洩装置４が冷媒漏れを検知すれば、制御部１は圧縮機２と電熱ヒータ３と各種機器６への電力供給を停止させ、警報装置５は冷媒漏れを周囲の人にブザーまたは警告灯にて知らせる。
【００１０】
また、冷蔵庫等の機械室にＨＣ冷媒が漏洩した場合の例として、圧縮機が動作していなくても、凝縮器ファンを常時運転するようにして、万一ＨＣ冷媒が漏洩しても、直ちに冷媒が拡散され、機械室が爆発限界の雰囲気に達しないようにしたもの（例えば、特許文献２参照）がある。
【特許文献１】特開２００１−９３０３９号公報
【特許文献２】特開２０００−２６６４３９号公報
【発明の開示】
【発明が解決しようとする課題】
【００１１】
しかしながら、従来の技術では、冷媒の漏洩を検知すれば、冷媒漏洩が発生していることを周りの人にブザーまたは警告灯にて知らせるものの、各種機器の電力供給を停止させることで、漏洩冷媒を早期に拡散させることができないという欠点があった。
【００１２】
本発明は、上記従来の課題を解決するもので、冷媒漏洩を認識すれば、凝縮器ファン風量増加手段において凝縮器ファンの風量を増加させるようにしたので、漏洩した冷媒をすばやく拡散することができる可燃性冷媒を用いた自動販売機の制御装置を提供することである。
【課題を解決するための手段】
【００１３】
上記従来の課題を解決するために、本発明の自動販売機の制御装置は、凝縮器ファンの風量を増加させる凝縮器ファン風量増加手段と、圧縮機の圧力を検知する圧力検知手段と、圧縮機の圧力を記憶する圧力記憶手段と、前記凝縮器ファン風量増加手段と、前記圧力検知手段と、前記圧力記憶手段とに接続された演算制御部とからなり、前記演算制御部は、圧縮機が動作している時に、前記圧力検知手段が圧縮機の圧力を検知し、前記圧力記憶手段に記憶された圧力以下であった場合に前記凝縮器ファン風量増加手段を動作させるものである。
【００１４】
これによって、圧縮機が動作中にもかかわらず、圧縮機の圧力が一定値以下に下がったことで、演算制御部が配管内部の冷媒が漏洩したと判断し、圧縮機等が配置されている箇所の雰囲気が爆発限界に達しないように凝縮器ファンの風量を増加させて漏洩冷媒をすばやく拡散させる。
【００１５】
また本発明の自動販売機の制御装置は、凝縮器ファンの風量を増加させる凝縮器ファン風量増加手段と、庫内温度を検知する温度検知手段と、庫内温度を記憶する温度記憶手段と、前記凝縮器ファン風量増加手段と、前記温度検知手段と、前記温度記憶手段とに接続された演算制御部とからなり、前記演算制御部は、圧縮機が動作している時に、前記温度検知手段が庫内の温度を検知し、前記温度記憶手段に記憶された温度以上であった場合に前記凝縮器ファン風量増加手段を動作させるものである。
【００１６】
これによって、圧縮機が動作中にもかかわらず、庫内の温度が一定値以上に上がったことで、演算制御部が配管内部の冷媒が漏洩した可能性があると判断し、圧縮機等が配置されている箇所の雰囲気が爆発限界に達しないように凝縮器ファンの風量を増加させて漏洩冷媒をすばやく拡散させる。
【００１７】
本発明の自動販売機の制御装置は、凝縮器ファンの風量を増加させる凝縮器ファン風量増加手段と、圧縮機の消費電力を検知する消費電力検知手段と、圧縮機の消費電力を記憶する消費電力記憶手段と、前記凝縮器ファン風量増加手段と、前記消費電力検知手段と、前記消費電力検知記憶手段とに接続された演算制御部とからなり、前記演算制御部は、圧縮機が動作している時に、前記消費電力検知手段が圧縮機の消費電力を検知し、前記消費電力記憶手段に記憶された消費電力以下であった場合に前記凝縮器ファン風量増加手段を動作させるものである。
【００１８】
これによって、圧縮機が動作中にもかかわらず、圧縮機の消費電力が一定値以下に下がったことで、演算制御部が配管内部の冷媒が漏洩した可能性があると判断し、圧縮機等が配置されている箇所の雰囲気が爆発限界に達しないように凝縮器ファンの風量を増加させて漏洩冷媒をすばやく拡散させる。
【００１９】
本発明の自動販売機の制御装置は、凝縮器ファンの風量を増加させる凝縮器ファン風量増加手段と、圧縮機の圧力を検知する圧力検知手段と、圧縮機の圧力を記憶する圧力記憶手段と、前記圧力検知手段が検知する圧力を任意に設定するための圧力設定手段と、前記凝縮器ファン風量増加手段と、前記圧力検知手段と、前記圧力記憶手段と、前記圧力設定手段とに接続された演算制御部とからなり、自動販売機により冷凍能力が違う場合において、圧縮機に適した検知圧力を設定でき、前記演算制御部は、万一、冷却装置から可燃性冷媒が漏れた場合でも、冷媒が漏洩したことによる圧縮機の圧力低下を前記圧力検知手段により検知し、前記圧力記憶手段に記憶された圧力以下であった場合に、前記凝縮器ファン風量増加手段を動作させるものである。
【００２０】
これによって、冷凍能力が異なる場合において、圧縮機に適した検知圧力を任意に設定でき、冷媒の漏洩時に、圧力設定手段に設定された値以下に下がったことで、演算制御部が配管内部の冷媒が漏洩したと判断し、圧縮機等が配置されている箇所の雰囲気が爆発限界に達しないように凝縮器ファンの風量を増加させて漏洩冷媒をすばやく拡散させる。
【００２１】
本発明の自動販売機の制御装置は、凝縮器ファンの風量を増加させる凝縮器ファン風量増加手段と、庫内温度を検知する温度検知手段と、庫内温度を記憶する温度記憶手段と、前記温度検知手段が検知する温度を任意に設定するための温度設定手段と、前記凝縮器ファン風量増加手段と、前記温度検知手段と、前記温度記憶手段と、前記温度設定手段とに接続された演算制御部とからなり、自動販売機により庫内設定温度が違う場合において、庫内設定温度に適した検知温度を設定でき、前記演算制御部は、万一、冷却装置から可燃性冷媒が漏れた場合でも、冷媒が漏洩したことによる庫内温度を前記温度検知手段により検知し、前記温度記憶手段に記憶された温度以上であった場合に、前記凝縮器ファン風量増加手段を動作させるものである。
【００２２】
これによって、庫内の温度設定により庫内温度が変動する場合において、庫内の温度設定に応じて、庫内の温度検知を任意に設定でき、冷媒の漏洩時に、温度設定手段に設定された値以上に上がったことで、演算制御部が、配管内部の冷媒が漏洩したと判断し、圧縮機等が配置されている箇所の雰囲気が爆発限界に達しないように凝縮器ファンの風量を増加させて漏洩冷媒をすばやく拡散させる。
【００２３】
本発明の自動販売機の制御装置は、凝縮器ファンの風量を増加させる凝縮器ファン風量増加手段と、圧縮機の消費電力を検知する消費電力検知手段と、圧縮機の消費電力を記憶する消費電力記憶手段と、前記消費電力検知手段が検知する消費電力を任意に設定するための消費電力設定手段と、前記凝縮器ファン風量増加手段と、前記消費電力検知手段と、前記消費電力検知記憶手段と、前記消費電力設定手段とに接続された演算制御部とからなり、自動販売機により庫内設定温度、圧縮機の消費電力が違う場合において、圧縮機の消費電力に適した検知消費電力を設定でき、前記演算制御部は、万一、冷却装置から可燃性冷媒が漏れた場合でも、冷媒が漏洩したことによる圧縮機の消費電力低下を前記消費電力検知手段により検知し、前記消費電力記憶手段に記憶された消費電力以下であった場合に、前記凝縮器ファン風量増加手段を動作させるものである。
【００２４】
これによって、自動販売機により庫内設定温度、圧縮機の消費電力が違う場合において、圧縮機の消費電力に応じて、圧縮機の検知消費電力を任意に設定でき、冷媒の漏洩時に、消費電力設定手段に設定された値以下に下がったことで、演算制御部が、配管内部の冷媒が漏洩したと判断し、圧縮機等が配置されている箇所の雰囲気が爆発限界に達しないように凝縮器ファンの風量を増加させて漏洩冷媒をすばやく拡散させる。
【発明の効果】
【００２５】
本発明の自動販売機の制御装置は、演算制御部は圧縮機の圧力検知手段により、圧縮機の圧力を検知でき、設定された圧力以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【００２６】
また、演算制御部は庫内の温度検知手段により、庫内の温度を検知でき、設定された温度以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【００２７】
また、演算制御部は圧縮機２の消費電力検知手段により、圧縮機の消費電力を検知でき、設定された消費電力以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【００２８】
また、自動販売機により冷却能力が違う場合において、圧縮機に適した検知圧力を設定でき、演算制御部は圧縮機２の圧力検知手段により、圧縮機の圧力を検知でき、設定された圧力以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【００２９】
また、自動販売機により庫内設定温度が違う場合において、庫内設定温度に適した検知温度を設定でき、演算制御部は庫内の温度検知手段により、庫内の温度を検知でき、設定された温度以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【００３０】
また、自動販売機により庫内設定温度、圧縮機の消費電力が違う場合において、圧縮機の消費電力に適した検知消費電力を設定でき、演算制御部は圧縮機の消費電力検知手段により、圧縮機の消費電力を検知でき、設定された消費電力以下であれば、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることができる。
【発明を実施するための最良の形態】
【００３１】
請求項１に記載の発明は、凝縮器ファンの風量を増加させる凝縮器ファン風量増加手段と、圧縮機の圧力を検知する圧力検知手段と、圧縮機の圧力を記憶する圧力記憶手段と、前記凝縮器ファン風量増加手段と、前記圧力検知手段と、前記圧力記憶手段とに接続された演算制御部とからなり、前記演算制御部は、圧縮機が動作している時に、前記圧力検知手段が圧縮機の圧力を検知し、前記圧力記憶手段に記憶された圧力以下であった場合に前記凝縮器ファン風量増加手段を動作させるものであり、圧縮機が動作中にもかかわらず、圧縮機の圧力が一定値以下に下がったことで、演算制御部が配管内部の冷媒が漏洩したと判断し、圧縮機等が配置されている箇所の雰囲気が爆発限界に達しないように凝縮器ファンの風量を増加させて漏洩冷媒をすばやく拡散させることができる。
【００３２】
請求項２に記載の発明は、凝縮器ファンの風量を増加させる凝縮器ファン風量増加手段と、庫内温度を検知する温度検知手段と、庫内温度を記憶する温度記憶手段と、前記凝縮器ファン風量増加手段と、前記温度検知手段と、前記温度記憶手段とに接続された演算制御部とからなり、前記演算制御部は、圧縮機が動作している時に、前記温度検知手段が庫内の温度を検知し、前記温度記憶手段に記憶された温度以上であった場合に前記凝縮器ファン風量増加手段を動作させるものであり、圧縮機が動作中にもかかわらず、庫内の温度が一定値以上に上がったことで、演算制御部が配管内部の冷媒が漏洩した可能性があると判断し、圧縮機等が配置されている箇所の雰囲気が爆発限界に達しないように凝縮器ファンの風量を増加させて漏洩冷媒をすばやく拡散させることができる。
【００３３】
請求項３に記載の発明は、凝縮器ファンの風量を増加させる凝縮器ファン風量増加手段と、圧縮機の消費電力を検知する消費電力検知手段と、圧縮機の消費電力を記憶する消費電力記憶手段と、前記凝縮器ファン風量増加手段と、前記消費電力検知手段と、前記消費電力検知記憶手段とに接続された演算制御部とからなり、前記演算制御部は、圧縮機が動作している時に、前記消費電力検知手段が圧縮機の消費電力を検知し、前記消費電力記憶手段に記憶された消費電力以下であった場合に前記凝縮器ファン風量増加手段を動作させるものであり、圧縮機が動作中にもかかわらず、圧縮機の消費電力が一定値以下に下がったことで、演算制御部が配管内部の冷媒が漏洩した可能性があると判断し、圧縮機等が配置されている箇所の雰囲気が爆発限界に達しないように凝縮器ファンの風量を増加させて漏洩冷媒をすばやく拡散させる作用を有する。
【００３４】
請求項４に記載の発明は、凝縮器ファンの風量を増加させる凝縮器ファン風量増加手段と、圧縮機の圧力を検知する圧力検知手段と、圧縮機の圧力を記憶する圧力記憶手段と、前記圧力検知手段が検知する圧力を任意に設定するための圧力設定手段と、前記凝縮器ファン風量増加手段と、前記圧力検知手段と、前記圧力記憶手段と、前記圧力設定手段とに接続された演算制御部とからなり、自動販売機により冷凍能力が違う場合において、圧縮機に適した検知圧力を設定でき、前記演算制御部は、万一、冷却装置から可燃性冷媒が漏れた場合でも、冷媒が漏洩したことによる圧縮機の圧力低下を前記圧力検知手段により検知し、前記圧力記憶手段に記憶された圧力以下であった場合に、前記凝縮器ファン風量増加手段を動作させるものであり、冷凍能力が異なる場合において、圧縮機に適した検知圧力を任意に設定でき、冷媒の漏洩時に、圧力設定手段に設定された値以下に下がったことで、演算制御部が配管内部の冷媒が漏洩したと判断し、圧縮機等が配置されている箇所の雰囲気が爆発限界に達しないように凝縮器ファンの風量を増加させて漏洩冷媒をすばやく拡散させることができる。
【００３５】
請求項５に記載の発明は、凝縮器ファンの風量を増加させる凝縮器ファン風量増加手段と、庫内温度を検知する温度検知手段と、庫内温度を記憶する温度記憶手段と、前記温度検知手段が検知する温度を任意に設定するための温度設定手段と、前記凝縮器ファン風量増加手段と、前記温度検知手段と、前記温度記憶手段と、前記温度設定手段とに接続された演算制御部とからなり、自動販売機により庫内設定温度が違う場合において、庫内設定温度に適した検知温度を設定でき、前記演算制御部は、万一、冷却装置から可燃性冷媒が漏れた場合でも、冷媒が漏洩したことによる庫内温度を前記温度検知手段により検知し、前記温度記憶手段に記憶された温度以上であった場合に、前記凝縮器ファン風量増加手段を動作させるものであり、庫内の温度設定により庫内温度が変動する場合において、庫内の温度設定に応じて、庫内の温度検知を任意に設定でき、冷媒の漏洩時に、温度設定手段に設定された値以上に上がったことで、演算制御部が、配管内部の冷媒が漏洩したと判断し、圧縮機等が配置されている箇所の雰囲気が爆発限界に達しないように凝縮器ファンの風量を増加させて漏洩冷媒をすばやく拡散させることができる。
【００３６】
請求項６に記載の発明は、凝縮器ファンの風量を増加させる凝縮器ファン風量増加手段と、圧縮機の消費電力を検知する消費電力検知手段と、圧縮機の消費電力を記憶する消費電力記憶手段と、前記消費電力検知手段が検知する消費電力を任意に設定するための消費電力設定手段と、前記凝縮器ファン風量増加手段と、前記消費電力検知手段と、前記消費電力検知記憶手段と、前記消費電力設定手段とに接続された演算制御部とからなり、自動販売機により庫内設定温度、圧縮機の消費電力が違う場合において、圧縮機の消費電力に適した検知消費電力を設定でき、前記演算制御部は、万一、冷却装置から可燃性冷媒が漏れた場合でも、冷媒が漏洩したことによる圧縮機の消費電力低下を前記消費電力検知手段により検知し、前記消費電力記憶手段に記憶された消費電力以下であった場合に、前記凝縮器ファン風量増加手段を動作させるものであり、自動販売機により庫内設定温度、圧縮機の消費電力が違う場合において、圧縮機の消費電力に応じて、圧縮機の検知消費電力を任意に設定でき、冷媒の漏洩時に、消費電力設定手段に設定された値以下に下がったことで、演算制御部が、配管内部の冷媒が漏洩したと判断し、圧縮機等が配置されている箇所の雰囲気が爆発限界に達しないように凝縮器ファンの風量を増加させて漏洩冷媒をすばやく拡散させることができる。  請求項７に記載の発明は、請求項１から請求項６に記載の発明において、凝縮器ファン風量増加手段は前記凝縮器ファンの印加電圧を高める装置、もしくは印加電圧の周波数を高める装置としたものであり、凝縮器ファンに加える印加電圧を高めることや、もしくは、印加電圧の周波数を高めることで、回転数が上昇し、その結果、凝縮器ファンの風量を増加させることで漏洩冷媒をすばやく拡散させることができる。
【００３７】
以下、本発明の自動販売機の制御装置の実施の形態について、図面を参照しながら説明する。なお、この実施の形態によってこの発明が限定されるものではない。
【００３８】
（実施の形態１）
図１は本発明の実施の形態１による自動販売機の制御装置のブロック図である。図２は同実施の形態の自動販売機の制御装置の動作を示すフローチャートである。図３は同実施の形態の自動販売機の側面断面図である。図４は同実施の形態の自動販売機の冷却装置の平面図である。
【００３９】
自動販売機の一般的な構造、および冷却装置は、図３に示すように、自動販売機本体を形成するキャビネット７とドア８と、キャビネット７下部に配置される機械室９と機械室９の上部に断熱壁１０で庫内１１を形成し、可燃性冷媒が封入された冷却装置１２は庫内１１に配置される冷却器１３と、庫内ファン１４と、機械室９に配置される圧縮機２と凝縮器１５と凝縮器ファン１６を備えている。
【００４０】
冷却動作については、まず可燃性冷媒は圧縮機２で圧縮され、高温になった冷媒は、周囲の温度より高くなるので、凝縮器１５において熱が放出される、それによって可燃性冷媒は液体になり、周囲の温度と同じくらいまで冷えて細い管の中に入り、今度は圧力が低くなってきます。圧力が低くなると液体はより簡単に気化するので、液体となった可燃性冷媒は蒸発して気体になります。このとき、冷却器１３において周囲の熱を奪って、庫内１１の温度を下げます。そして、また気体の可燃性冷媒となり圧縮機９にもどり、圧縮されます。このように正常な運転における冷却装置１２では内部の圧力が上昇する。
【００４１】
図４において、機械室９に圧縮機２と、凝縮器１５と、凝縮器ファン１６を備え、凝縮器ファン１６は凝縮器１５を冷却させることができるように配置され、本体正面より、凝縮器１５、凝縮器ファン１６、圧縮機９の順で奥行き方向に並んでいる。
【００４２】
機械室９における空気の流れは、凝縮器ファン１６は凝縮器１５を冷却するために運転され、機械室９の前方から後方へ空気の流れができる。このように機械室９で配置される圧縮機２や凝縮器１５から可燃性冷媒が漏洩した場合、漏洩冷媒をすばやく拡散させ、その雰囲気が爆発限界に達しないようにすることが望ましい。
【００４３】
以下本実施の形態の動作について図１、図２を用いて説明する。
【００４４】
図１に示すように、凝縮器ファン１６の風量を増加させるための風量を増加させる凝縮器ファン風量増加手段１７と、圧縮機の動作を認識する認識手段１８と、圧縮機の圧力を検知する圧力検知手段１９と、圧縮機の圧力を記憶する圧力記憶手段２０と、凝縮器ファン風量増加手段１７と、認識手段１８と、圧力検知手段１９と、圧力記憶手段２０とに接続された演算制御部２１ａを備えている。
【００４５】
以上のように構成された自動販売機の制御装置について、以下その動作を図２のフローチャートを参照して説明する。
【００４６】
まず、自動販売機の電源が投入され、演算制御部２１ａは（認識手段１８により、）圧縮機を一定時間運転し、動作中であれば（ＳＴＥＰ１）、圧力検知手段１９により、圧縮機２の圧力を検知する（ＳＴＥＰ２）。
【００４７】
ＳＴＥＰ２で検知した圧力が一定値以上であれば、冷媒の漏洩は無いと判断し、冷却運転を継続する。
【００４８】
ＳＴＥＰ２で圧縮機２が一定時間運転したにもかかわらず圧力が、圧力記憶手段２０において予め記憶された圧力以下であれば（ＳＴＥＰ３）、冷媒が漏洩したと判断し、凝縮器ファン風量増加手段１７を動作させる（ＳＴＥＰ４）。  また、この時圧縮機２を停止させることで、漏洩をさらに抑えることができる。
【００４９】
以上のように、本実施形態１の自動販売機の制御装置は、凝縮器ファン１６の風量を増加させる凝縮器ファン風量増加手段１７と、圧縮機２の圧力を検知する圧力検知手段１９と、圧縮機２の圧力を記憶する圧力記憶手段２０と、凝縮器ファン風量増加手段１７と、圧力検知手段１９と、圧力記憶手段２０とに接続された演算制御部２１ａとからなり、演算制御部２１ａは、圧縮機２が動作している時に、圧力検知手段１９により、圧縮機２の圧力を検知する。検知した圧力が予め圧力記憶手段２０に記憶させておいた、冷媒洩れのない正常な運転における圧縮機２の圧力以下であれば、冷媒の漏れがあったものと判断し、凝縮器ファン風量増加手段１７を動作させるようにしたので、圧縮機２の圧力低下による冷媒漏洩を検知し、凝縮器ファン１６の風量を増加させることで、機械室９における漏洩冷媒をすばやく拡散させることができる。
【００５０】
（実施の形態２）
図５は本発明の実施の形態２による自動販売機の制御装置のブロック図である。図６は同実施の形態の動作を示すフローチャートである。
【００５１】
図５に示すように、凝縮器ファン１６の風量を増加させる凝縮器ファン風量増加手段１７と、庫内１１の温度を検知する温度検知手段２２と、庫内１１の温度を記憶する温度検知手段２３と、凝縮器ファン風量増加手段１７と、温度検知手段２２と、温度検知手段２３とに接続された演算制御部２１ｂを備えている。
【００５２】
以上のように構成された自動販売機の制御装置について、以下その動作を図６のフローチャートを参照して説明する。
まず、自動販売機の電源が投入され、演算制御部２１ｂは、圧縮機２が動作している時に（ＳＴＥＰ１）、温度検知手段２２により、庫内温度を検知する（ＳＴＥＰ２）。庫内温度が、温度検知手段２３において予め記憶された温度以下であれば（ＳＴＥＰ３）、凝縮器ファン風量増加手段１７を動作させる（ＳＴＥＰ４）。
【００５３】
以上のように、本実施形態２の自動販売機の制御装置は、凝縮器ファン１６の風量を増加させる凝縮器ファン風量増加手段１７と、庫内１１の温度を検知する温度検知手段２２と、庫内１１の温度を記憶する温度検知手段２３と、凝縮器ファン風量増加手段１７と、温度検知手段２２と、温度検知手段２３とに接続された演算制御部２１ｂとからなり、演算制御部２１ｂは、圧縮機２が通電しているかどうかの認識をし、圧縮機２が動作していれば、温度検知手段２２により、庫内１１の温度を検知する。検知した温度が予め温度検知手段２３に記憶させておいた、冷媒洩れのない正常な運転における庫内温度以上であれば、冷媒の漏れがあったものと判断し、凝縮器ファン風量増加手段１７を動作させるようにしたので、庫内温度上昇による冷媒漏洩を検知し、凝縮器ファン１６の風量を増加させることで、機械室９における漏洩冷媒をすばやく拡散させることができる。
【００５４】
（実施の形態３）
図７は本発明の実施の形態３による自動販売機の制御装置のブロック図である。図８は同実施の形態の動作を示すフローチャートである。
図７に示すように、凝縮器ファン１６の風量を増加させる凝縮器ファン風量増加手段１７と、圧縮機２の消費電力を検知する消費電力検知手段２４と、圧縮機２の消費電力を記憶する消費電力記憶手段２５と、凝縮器ファン風量増加手段１７と、消費電力検知手段２４と、消費電力記憶手段２５とに接続された演算制御部２１ｃを備えている。
【００５５】
以上のように構成された自動販売機の制御装置について、以下その動作を図８のフローチャートを参照して説明する。
まず、自動販売機の電源が投入され、演算制御部２１ｃは、圧縮機２が動作している時に（ＳＴＥＰ１）、消費電力検知手段２４により、圧縮機２の消費電力を検知する（ＳＴＥＰ２）。圧縮機２の消費電力が、消費電力記憶手段２５において予め記憶された消費電力以下であれば（ＳＴＥＰ３）、凝縮器ファン風量増加手段１７を動作させる（ＳＴＥＰ４）。
【００５６】
以上のように、本実施形態３の自動販売機の制御装置は、凝縮器ファン１６の風量を増加させる凝縮器ファン風量増加手段１７と、圧縮機２の消費電力を検知する消費電力検知手段と１４、圧縮機２の消費電力を記憶する消費電力記憶手段と１５、凝縮器ファン風量増加手段と８、消費電力検知手段２４と、消費電力記憶手段２５とに接続された演算制御部２１ｃとからなり、演算制御部２１ｃは、圧縮機２が動作している時に、消費電力検知手段２４により、圧縮機２の消費電力を検知する。検知した圧縮機２の消費電力が予め消費電力記憶手段２５に記憶させておいた、冷媒洩れのない正常な運転における圧縮機２の消費電力以下であれば、冷媒の漏れがあったものと判断し、凝縮器ファン風量増加手段１７を動作させるようにしたので、圧縮機２の消費電力減少による冷媒漏洩を検知し、凝縮器ファン１６の風量を増加させることで、機械室９における漏洩冷媒をすばやく拡散させることができる。
【００５７】
（実施の形態４）
図９は本発明の実施の形態４による自動販売機の制御装置のブロック図である。図１０は同実施の形態の動作を示すフローチャートである。
【００５８】
図９に示すように、凝縮器ファン１６の風量を増加させる凝縮器ファン風量増加手段１７と、圧縮機２の圧力を検知する圧力検知手段１９と、圧縮機２の圧力を記憶する圧力記憶手段２０と、圧力検知手段１９が検知する圧力を任意に設定するための圧力設定手段２６と、凝縮器ファン風量増加手段１７と、圧力検知手段１９と、圧力記憶手段２０と、圧力設定手段２６に接続された演算制御部２１ｄを備えている。
【００５９】
以上のように構成された自動販売機の制御装置について、以下その動作を図１０のフローチャートを参照して説明する。
まず、自動販売機の電源が投入され、オペレーターが圧縮機２の圧力設定に入った後（ＳＴＥＰ１）、オペレーターが圧力設定手段２６にて任意の圧縮機２の圧力設定をし（ＳＴＥＰ２）、ＳＴＥＰ２で設定された圧縮機２の圧力を圧力記憶手段２０にて記憶する（ＳＴＥＰ３）。次に、演算制御部２１ｄは圧縮機２が動作している時に（ＳＴＥＰ４）、圧力検知手段１９により、圧力を検知する（ＳＴＥＰ５）。圧力が、圧力記憶手段２０において予め記憶された圧力以下であれば（ＳＴＥＰ６）、凝縮器ファン風量増加手段１７を動作させる（ＳＴＥＰ７）。
【００６０】
以上のように、本実施形態４の自動販売機の制御装置は、凝縮器ファン１６の風量を増加させる凝縮器ファン風量増加手段１７と、圧縮機２の圧力を検知する圧力検知手段１９と、圧縮機２の圧力を記憶する圧力記憶手段２０と、圧力検知手段１９が検知する圧力を任意に設定するための圧力設定手段２６と、凝縮器ファン風量増加手段１７と、圧力検知手段１９と、圧力記憶手段２０と、圧力設定手段２６に接続された演算制御部２１ｄとからなり、自動販売機により冷却能力が違う場合において、圧縮機２に適した検知圧力を設定でき、演算制御部２１ｄは、圧縮機２が動作している時に、圧力検知手段１９により、圧縮機２の圧力を検知する。検知した圧力が予め圧力記憶手段２０に記憶させておいた、設定圧力以下であれば、冷媒の漏れがあったものと判断し、凝縮器ファン風量増加手段１７を動作させるようにしたので、圧縮機２の圧力低下による冷媒漏洩を検知し、凝縮器ファン１６の風量を増加させることで、機械室９における漏洩冷媒をすばやく拡散させることができる。
【００６１】
（実施の形態５）
図１１は本発明の実施の形態５による自動販売機の制御装置のブロック図である。図１２は同実施の形態の動作を示すフローチャートである。
図１１に示すように、凝縮器ファン１６の風量を増加させる凝縮器ファン風量増加手段１７と、庫内１１の温度を検知する温度検知手段２２と、庫内１１の温度を記憶する温度検知手段２３と、温度検知手段２２が検知する温度を任意に設定するための温度設定手段２７と、凝縮器ファン風量増加手段１７と、温度検知手段２２と、温度検知手段２３と、温度設定手段２７に接続された演算制御部２１ｅを備えている。
【００６２】
以上のように構成された自動販売機の制御装置について、以下その動作を図１２のフローチャートを参照して説明する。
【００６３】
まず、自動販売機の電源が投入され、オペレーターが庫内１１の温度設定に入った後（ＳＴＥＰ１）、オペレーターが温度設定手段２７にて任意の庫内１１の温度設定をし（ＳＴＥＰ２）、ＳＴＥＰ２で設定された庫内１１の温度を温度検知手段２３にて記憶する（ＳＴＥＰ３）。次に、演算制御部２１ｅは圧縮機２が動作している時に（ＳＴＥＰ４）、温度検知手段１０により、温度を検知する（ＳＴＥＰ５）。温度が、温度記憶手段１１において予め記憶された温度以下であれば（ＳＴＥＰ６）、凝縮器ファン風量増加手段１７を動作させる（ＳＴＥＰ７）。
【００６４】
以上のように、本実施形態５の自動販売機の制御装置は、凝縮器ファン１６の風量を増加させる凝縮器ファン風量増加手段１７と、庫内温度を検知する温度検知手段２２と、庫内温度を記憶する温度検知手段２３と、温度検知手段２２が検知する温度を任意に設定するための温度設定手段２７と、凝縮器ファン風量増加手段１７と、温度検知手段２２と、温度検知手段２３と、温度設定手段２７とに接続された演算制御部２１ｅとからなり、自動販売機により庫内設定温度が違う場合において、庫内設定温度に適した検知温度を設定でき、演算制御部２１ｅは、圧縮機２が動作している時に、温度検知手段２２により、庫内１１の温度を検知する。検知した温度が予め温度検知手段２３に記憶させておいた、設定温度以上であれば、冷媒の漏れがあったものと判断し、凝縮器ファン風量増加手段１７を動作させるようにしたので、庫内１１の温度上昇による冷媒漏洩を検知し、凝縮器ファン１６の風量を増加させることで、機械室９における漏洩冷媒をすばやく拡散させることができる。
【００６５】
（実施の形態６）
図１３は本発明の実施の形態６による自動販売機の制御装置のブロック図である。図１４は同実施の形態の動作を示すフローチャートである。
図１３に示すように、凝縮器ファン１６の風量を増加させる凝縮器ファン風量増加手段１７と、圧縮機２の消費電力を検知する消費電力検知手段２４と、圧縮機２の消費電力を記憶する消費電力記憶手段２５と、消費電力検知手段２４が検知する消費電力を任意に設定するための消費電力設定手段２８と、凝縮器ファン風量増加手段１７と、消費電力検知手段２４と、消費電力記憶手段２５と、消費電力設定手段２８に接続された演算制御部２１ｆを備えている。
【００６６】
以上のように構成された自動販売機の制御装置について、以下その動作を図１４のフローチャートを参照して説明する。
【００６７】
まず、自動販売機の電源が投入され、オペレーターが圧縮機２の消費電力設定に入った後（ＳＴＥＰ１）、オペレーターが消費電力設定手段２８にて任意の圧縮機２の消費電力の設定をし（ＳＴＥＰ２）、ＳＴＥＰ２で設定された圧縮機２の消費電力を消費電力記憶手段２５にて記憶する（ＳＴＥＰ３）。
【００６８】
次に、演算制御部２１ｆは圧縮機２が動作している時に（ＳＴＥＰ４）、消費電力検知手段２４により、消費電力を検知する（ＳＴＥＰ５）。消費電力が、消費電力記憶手段２５において予め記憶された消費電力以下であれば（ＳＴＥＰ６）、凝縮器ファン風量増加手段１７を動作させる（ＳＴＥＰ７）。
【００６９】
以上のように、本実施形態６の自動販売機の制御装置は、凝縮器ファン１６の風量を増加させる凝縮器ファン風量増加手段１７と、圧縮機２の消費電力を検知する消費電力検知手段２４と、圧縮機２の消費電力を記憶する消費電力記憶手段２５と、消費電力検知手段２４が検知する消費電力を任意に設定するための消費電力設定手段２８と、凝縮器ファン風量増加手段１７と、消費電力検知手段２４と、消費電力記憶手段２５と、消費電力設定手段２８とに接続された演算制御部２１ｆとからなり、自動販売機により庫内設定温度、圧縮機２の消費電力が違う場合において、圧縮機２の消費電力に適した検知消費電力を設定でき、演算制御部２１ｆは、圧縮機２が動作している時に、消費電力検知手段２４により、圧縮機２の消費電力を検知する。検知した消費電力が予め消費電力記憶手段２５に記憶させておいた、設定消費電力以下であれば、冷媒の漏れがあったものと判断し、凝縮器ファン風量増加手段１７を動作させるようにしたので、圧縮機２の消費電力減少による冷媒漏洩を検知し、凝縮器ファン１６の風量を増加させることで、機械室９における漏洩冷媒をすばやく拡散させることができる。
【産業上の利用可能性】
【００７０】
以上のように、本発明にかかる自動販売機の制御装置は、可燃性冷媒の漏洩を間接的に検知し、凝縮器ファン風量増加手段を動作させることができるので、凝縮器ファンの風量が増加し、機械室における漏洩冷媒をすばやく拡散させることができ、可燃性冷媒の引火あるいは発火に対する安全性を向上させることが可能になるので、可燃性冷媒を用いた冷凍装置の安全装置として適用できる。
【図面の簡単な説明】
【００７１】
【図１】本発明による自動販売機の制御装置の実施の形態１のブロック図
【図２】本発明による自動販売機の制御装置の実施の形態１のフローチャート
【図３】本発明による自動販売機の実施の形態１の側面断面図
【図４】本発明による自動販売機の実施の形態１の冷却装置の平面図
【図５】本発明による自動販売機の制御装置の実施の形態２のブロック図
【図６】本発明による自動販売機の制御装置の実施の形態２のフローチャート
【図７】本発明による自動販売機の制御装置の実施の形態３のブロック図
【図８】本発明による自動販売機の制御装置の実施の形態３のフローチャート
【図９】本発明による自動販売機の制御装置の実施の形態４のブロック図
【図１０】本発明による自動販売機の制御装置の実施の形態４のフローチャート
【図１１】本発明による自動販売機の制御装置の実施の形態５のブロック図
【図１２】本発明による自動販売機の制御装置の実施の形態５のフローチャート
【図１３】本発明による自動販売機の制御装置の実施の形態６のブロック図
【図１４】本発明による自動販売機の制御装置の実施の形態６のフローチャート
【図１５】従来の自動販売機の制御装置の機能ブロック図
【符号の説明】
【００７２】
１７    凝縮器ファン風量増加手段
１９    圧力検知手段
２０    圧力記憶手段
２１ａ    演算制御部
２１ｂ    演算制御部
２１ｃ    演算制御部
２１ｄ    演算制御部
２１ｅ    演算盛業部
２１ｆ    演算制御部
２２    温度検知手段
２３    温度記憶手段
２４    消費電力検知手段
２５    消費電力記憶手段
２６    圧力設定手段
２７    温度設定手段
２８    消費電力設定手段
【図１】
2005099985.tif 000003
【図２】
2005099985.tif 000004
【図３】
2005099985.tif 000005
【図４】
2005099985.tif 000006
【図５】
2005099985.tif 000007
【図６】
2005099985.tif 000008
【図７】
2005099985.tif 000009
【図８】
2005099985.tif 000010
【図９】
2005099985.tif 000011
【図１０】
2005099985.tif 000012
【図１１】
2005099985.tif 000013
【図１２】
2005099985.tif 000014
【図１３】
2005099985.tif 000015
【図１４】
2005099985.tif 000016
【図１５】
2005099985.tif 000017